(57)【要約】【課題】視覚的に薄型に見せることができると共に、いたずらを受けにくい構造の操作盤を提供する。【解決手段】エレベータ用の操作盤１は、カバー部７に設けられた凸部７ａ、及び、筐体６に設けられた凸部７ａと係合する凹部６ａからなる第１係合部１１と、カバー部７に設けられたバネ部材８、及び、筐体６に設けられたバネ部材８と係合する係合孔６ｂとからなる第２係合部１２と、筐体６の側壁部６２とカバー部７との境界部分において、側壁部６２に設けられた、バネ部材８を変位させるための治具９を挿入することができる挿入孔６ｃとを備える。【選択図】図３
2016124684.tif 000002
【特許請求の範囲】
【請求項１】
壁面に取り付けられる取り付け板、及び、取り付け板の外周部に設けられた側壁部を有し、表示器が収容された筐体と、前記筐体の表面を被覆すると共に、前記側壁部の一部を被覆するカバー部とを有するエレベータ用の操作盤において、
前記カバー部に設けられた凸部、及び、前記筐体に設けられた前記凸部と係合する凹部からなる第１係合部と、
前記カバー部に設けられたバネ部材、及び、前記バネ部材と係合する前記筐体に設けられた係合孔とからなる第２係合部と、
前記カバー部で被覆された前記筐体の側壁部と前記カバー部との境界部分において、前記側壁部に設けられた、前記バネ部材を変位させるための治具を挿入することができる挿入孔と、を備える
ことを特徴とするエレベータ用の操作盤。
【請求項２】
前記筐体の側壁部に設けられた溝部と、
前記溝部に挿入されるように前記カバー部に内周面に設けられた突起部とを
有する請求項１に記載のエレベータ用の操作盤。
【請求項３】
前記筐体の側壁部に設けられた突起部と、
前記突起部が挿入される前記カバー部の内周面に設けられた溝部とを
有する請求項１に記載のエレベータ用の操作盤。
【請求項４】
前記カバー部を前記筐体に取り付けた状態において、前記取り付け板の壁面への取り付け面と、前記カバー部の先端との距離は、２ｍｍよりも大きく４ｍｍよりも小さい
請求項１〜３のいずれかに記載のエレベータ用の操作盤。
【請求項５】
前記係合孔は前記挿入孔を兼ねる
請求項１〜３のいずれかに記載のエレベータ用の操作盤。
【発明の詳細な説明】
【技術分野】
【０００１】
本発明は、エレベータの乗場等に設置される壁掛けタイプのエレベータ用の操作盤に関する。
【背景技術】
【０００２】
従来のエレベータの乗場等に用いられている壁掛けタイプの操作盤は、表示器や押しボタン等の部品を収納する筐体を壁面に固定し、箱形のカバーでその筐体を覆い、カバーの上面及び下面等の目立たない位置でカバーを筐体にネジ固定する構造が知られている（特許文献１参照）。
【０００３】
一方、壁面に固定されている裏板とその裏板をカバーする表面板との間に部品や配線を集積する操作盤において、表面板を裏板にスライドさせて取り付け取り外しできる構成が開示されている（特許文献２参照）。この場合、裏板と表面板との固定機構は、裏板に設けられた板バネと、表面板の裏板側に設けられた透孔とで構成され、表面板を裏板にスライドさせながら取り付けた際に、板バネが透孔に係止されることで表面板が裏板に固定される。そして、表面板の下端部に開口が設けられており、この開口部から治具を挿入して板バネによるロック機構を解除することにより、表面板を裏板から簡単に取り外すことができる。
【先行技術文献】
【特許文献】
【０００４】
【特許文献１】特開平９−３１５７１１号公報
【特許文献２】特開２００６−１８８８５１号公報
【発明の概要】
【発明が解決しようとする課題】
【０００５】
エレベータ用の操作盤は、意匠性の観点から、壁面からの突出寸法をできるだけ小さくすることが望ましく、また、外部からのいたずら等を防止できる構造であることが好ましい。これに対して、特許文献１の構成のように、筐体にカバーを固定する為にネジを使用する場合には、外部からネジが見えるため、いたずら等によってカバーが外されてしまう懸念がある。また、カバーを筐体に固定するためにネジを用いるため、ドライバーの作業性からカバーを薄型化することも難しく、操作盤全体の意匠性にも制約がある。
【０００６】
特許文献２の構成では、表面板（カバー）と裏板（筐体）との固定機構にネジを用いないため、意匠性などの制約は受けにくく、表面板の薄型化は可能である。しかしながら、表面板を裏板から取り外す際に用いられるロック解除用の開口が確認し易いため、いたずらを受けやすい構造であり、完全にいたずら等を防ぐことは難しい。
【０００７】
そこで、本発明は、エレベータ用の操作盤において、視覚的に薄型に見せることができると共に、いたずらを受けにくい構造の操作盤を提供することを目的とする。
【課題を解決するための手段】
【０００８】
上記課題を解決するために、例えば特許請求の範囲に記載の構成を採用する。本願は、上記課題を解決する手段を複数含んでいるが、その一例を挙げるならば、壁面に取り付けられる取り付け板、及び、取り付け板の外周部に設けられた側壁部を有し、表示器が収容された筐体と、筐体の表面を被覆すると共に、側壁部の一部を被覆するカバー部とを有するエレベータ用の操作盤において、カバー部に設けられた凸部、及び、筐体に設けられた凸部と係合する凹部からなる第１係合部と、カバー部に設けられたバネ部材、及び、筐体に設けられたバネ部材と係合する係合孔とからなる第２係合部と、筐体の側壁部とカバー部との境界部分において、側壁部に設けられた、バネ部材を変位させるための治具を挿入することができる挿入孔と、を備えることを特徴とする。
【発明の効果】
【０００９】
本発明によれば、視覚的に薄型に見え、いたずらを受けにくい構造のエレベータ用の操作盤を得ることができる。
【図面の簡単な説明】
【００１０】
【図１】本発明の一実施形態に係るエレベータ用の操作盤が取り付けられるエレベータ乗り場の概略構成図である
【図２】本発明の一実施形態に係るエレベータ用の操作盤の概略側面図である。
【図３】本発明の一実施形態に係るエレベータ用の操作盤の側面の断面構造を示す概略構成図である。
【図４】本発明の一実施形態に係るエレベータ用の操作盤を底面側からみたときの概略構成図である。
【図５】本発明の一実施形態に係るエレベータ用の操作盤の筐体の概略側面図である。
【図６】本発明の一実施形態に係るエレベータ用の操作盤のカバー部の概略構成図である。
【図７】操作盤においてロック機構を解除し、カバー部を筐体から取り外す際の要部の概略構成を示す図である。
【図８】カバー部の中央部が引っ張られたときの様子を示す概略断面図である。
【図９】図８の要部の断面拡大図である
【図１０】カバー部の上部が引っ張られたときの様子を示す概略構成図である。
【図１１】比較例に係る操作盤の側面図である。
【発明を実施するための形態】
【００１１】
以下、本発明の実施形態に係るエレベータ用の操作盤の一例を、図面を参照しながら説明する。以下では、エレベータ乗り場の壁面に設けられる操作盤を例に説明する。なお、本発明は以下の例に限定されるものではない。
【００１２】
［全体の構成］
図１は、本発明の一実施形態に係るエレベータ用の操作盤１が取り付けられるエレベータ乗り場の概略構成図である。図２は、本発明の一実施形態に係るエレベータ用の操作盤１の概略側面図であり、図３は、本発明の一実施形態に係るエレベータ用の操作盤１の側面の断面構造を示す概略構成図である。また、図４は、本発明の一実施形態に係るエレベータ用の操作盤１を底面側からみたときの概略構成図である。さらに、図５は、本発明の一実施形態に係るエレベータ用の操作盤１の筐体６の概略側面図であり、図６は、本発明の一実施形態に係るエレベータ用の操作盤１のカバー部７の概略構成図である。
【００１３】
図１及び図２に示すように、一般的にエレベータ乗り場の壁面５には、エレベータ扉２の近傍に表示器３や押ボタン４が付いた操作盤１が設けられる。操作盤１は、図３に示すように、表示器３や押ボタン４等が収容された筐体６と、その筐体６を覆うと共に、表示器３を表示する表示窓（図示を省略する）や押ボタン４を外部から操作するための操作窓（図示を省略する）が設けられたカバー部７と、板バネ８（本発明のバネ部材）とで構成されている。
【００１４】
［筐体］
図３〜図５に示すように、筐体６は、板状部材で構成された取り付け板６１と、取り付け板６１の縁側全周（外周部）に渡って設けられ、取り付け板６１の一方の面から、取り付け板６１の平面に対して垂直な方向に立設するように設けられた側壁部６２とを有する。取り付け板６１の壁面５に水平な面の形状は矩形状である。取り付け板６１及び側壁部６２は一体に形成されており、例えば樹脂等の材料で形成されている。本実施形態では、取り付け板６１の側壁部６２が設けられた側とは反対側の面を壁面５に当接させて取り付け板６１を壁面５に取り付けることにより、筐体６が壁面５に固定される。そして、筐体６の側壁部６２に囲まれる領域には、表示器３や押ボタン４等が実装される。
【００１５】
また、筐体６を壁面５に取り付けた状態において、筐体６の上方側に位置する側壁部６２には、後述するカバー部７の凸部７ａ（図３，図６参照）が係合可能な凹部６ａが設けられている。また、筐体６を壁面５に取り付けた状態において筐体６の下方側（底面側）に位置する側壁部６２の取り付け板６１側には、カバー部７に設けられる板バネ８の一端が係合する係合孔６ｂが設けられている。
【００１６】
ここで、係合孔６ｂの一部は、図４に示すように、カバー部７が取り付けられたときに後述するロック解除用の治具９（図７参照）が挿入される挿入孔６ｃとして、露出される必要がある。したがって、係合孔６ｂは、カバー部７を筐体６に取り付けた際に、その一部が挿入孔６ｃとして露出される位置に設けられる。
【００１７】
さらに、図５に示すように、筐体６を壁面５に取り付けた状態において鉛直方向に延在するように設けられた対向する側壁部６２のそれぞれには、後述するカバー部７の突起部７ｂが挿入される溝部６ｄが、側壁部６２の鉛直方向に沿って複数個（図５では２個）ずつ設けられている。溝部６ｄは、側壁部６２の取り付け板６１側とは反対側の端部から所定の深さに形成された切り欠き状の開口で構成されている。また、この溝部６ｄは、カバー部７を筐体６に取り付ける際にカバー部７の突起部７ｂを挿入し易くするため、端部側の開口幅が取り付け板６１側の開口幅よりも大きくなるような形状に形成されている。
【００１８】
［カバー部］
図２及び図３に示すように、カバー部７は、筐体６の表示器３や押ボタン４が収容された側の面を覆う矩形の板状部材で構成された表面板７１と、表面板７１の縁側全周に渡って設けられ、表面板７１の一方の面から表面板７１の平面に対して垂直な方向に立設するように設けられた嵌合壁７２とを有して構成されている。表面板７１及び嵌合壁７２は一体に形成されており、筐体６と同様、樹脂等の材料で形成されている。
【００１９】
表面板７１の所望の位置には、図示を省略するが、筐体６に収容された表示器３を表示する表示窓や、押ボタン４を外部から操作するための操作窓が設けられている。嵌合壁７２は、その内周が筐体６の側壁部６２の外周よりも大きく形成されており、カバー部７を筐体６に取り付ける際に、嵌合壁７２が筐体６の側壁部６２に当接して嵌合する程度の大きさに形成されている。
【００２０】
また、カバー部７を筐体６に取り付けたときの、嵌合壁７２の壁面５に垂直な方向の長さ、すなわち、図２に示すカバー部７の厚みｔは、カバー部７及び筐体６を含めた操作盤１全体の壁面５に垂直な方向における厚みＴよりも小さくなるように構成されている。すなわち、表面板７１の平面に垂直な方向における嵌合壁７２は、カバー部７を筐体６に嵌め込んだときにカバー部７の嵌合壁７２の先端が壁面５に当接しない高さに形成されている。
【００２１】
ここで、前述したように、本実施形態では、操作盤１の底面側において、図４に示すように嵌合壁７２の先端と側壁部６２との境界部分に係合孔６ｂの一部が露出されている。
この露出された係合孔６ｂは後述するロック解除用の治具９（図７参照）を挿入する挿入孔６ｃとなる。嵌合壁７２と側壁部６２との境界部分に露出される挿入孔６ｃの開口幅は、後述するロック解除用の治具９が挿入できる大きさであればよく、０．５ｍｍから１ｍｍ程度であればよい。
【００２２】
また、筐体６の上方側に位置する側壁部６２に当接するカバー部７の嵌合壁７２には、側壁部６２に設けられた凹部６ａに係合する凸部７ａが設けられている。本実施形態では、凹部６ａと凸部７ａによって、第１係合部１１が構成される。
【００２３】
さらに、筐体６を壁面５に取り付けた状態において鉛直方向に延在するように設けられた対向する側壁部６２のそれぞれに当接する嵌合壁７２の内周面には、カバー部７を筐体６に取り付けた際に、側壁部６２に設けられた溝部６ｄに挿入可能な突起部７ｂが設けられている。本実施形態では、カバー部７を筐体６に取り付ける際にその突起部７ｂを溝部６ｄに挿入し易くするため、突起部７ｂの嵌合壁７２の表面板７１側とは反対側、すなわち、突起部７ｂの溝部６ｄに挿入される方向における先端側は角部が除去されている。本実施形態では、筐体６に設けられた溝部６ｄとカバー部７に設けられた突起部７ｂとにより外れ防止機構が構成され、この外れ防止機構は、操作盤１の両側面のそれぞれに２つずつ設けられている。
【００２４】
［板バネ］
図３に示すように、板バネ８は、固定部８ａとロック解除片８ｂと係合部８ｃとを有し、これらは一体に形成されている。板バネ８は、固定部８ａによりカバー部７の筐体２に面する側の内周面に固定されており、カバー部７を筐体６に取り付けた際に、係合部８ｃが筐体６の側壁部６２に設けられた係合孔６ｂに係合可能な位置に固定されている。本実施形態では、板バネ８と係合孔６ｂとにより第２係合部１２が構成され、カバー部７を筐体６に取り付けたとき、板バネ８の係合部８ｃが係合孔６ｂに係合することで、板バネ８の弾性力によりカバー部７が筐体６側に引き寄せられて固定される。
【００２５】
このように、本実施形態では、板バネ８と係合孔６ｂとで構成される第２係合部１２は、カバー部７と筐体６との取り付けをロックするロック機構を構成する。また、ロック解除片８ｂは、固定部８ａから取り付け板６１側に延在する部材で構成されており、カバー部７を筐体６から取り外す際におけるロック解除の為に用いられる。
【００２６】
［取り付け・取り外し方法］
次に、本実施形態の操作盤１における筐体６へのカバー部７の取り付け・取り外し方法について説明する。筐体６にカバー部７を取り付ける場合は、カバー部７の上方の嵌合壁７２に設けられた凸部７ａを、筐体６の側壁部６２に設けられた凹部６ａに係合させながら、カバー部７を筐体６に嵌め込む。カバー部７が筐体６に嵌め込まれることにより、カバー部７に設けられた板バネ８の係合部８ｃが、板バネ８の弾性力によって筐体６の係合孔６ｂに係合する。これにより、カバー部７と筐体６とは、第１係合部１１及び第２係合部１２による係合で固定される。また、カバー部７を筐体６に取り付けたときには、カバー部７の突起部７ｂが筐体６の溝部６ｄに挿入されている。
【００２７】
次に、カバー部７を筐体６から取り外す方法について説明する。図７に、本実施形態の操作盤１においてロック機構を解除し、カバー部７を筐体６から取り外す際の要部の概略構成を示す。ロック機構を解除してカバー部７を筐体６から取り外す場合は、図７に示すように、挿入孔６ｃからロック解除用の治具９を挿入してロック解除片８ｂを鉛直上方向に押し上げる。これにより、係合部８ｃを変位させて係合孔６ｂから外し、第２係合部１２による筐体６とカバー部７とのロックを解除することができる。そして、ロックを解除しながら、カバー部７を筐体６から外すことで、カバー部７を筐体から取り外すことができる。
【００２８】
以上のように、本実施形態では、カバー部７の筐体６への固定は、操作盤１の外部からは見えない第１係合部１１及び第２係合部１２でなされるので、外側にネジ等の固定機構を必要とする従来の操作盤と比較して意匠性に優れる。
【００２９】
また、本実施形態では、カバー部７の厚みｔを操作盤１全体の厚みＴよりも小さくすることにより、カバー部７と筐体６との間に嵌合壁７２を構成する板厚分の段差が形成される。これにより、使用者が正面から操作盤１を見た場合、筐体６がこの段差によって隠れるため、筐体６部分を視認しにくい。このため、使用者に、カバー部７の厚みｔを操作盤１の厚みとして認識させる効果を高めることができ、操作盤１を視覚的に薄型に見せることができる。
【００３０】
ここで、操作盤１全体の厚みＴとカバー部７との厚みｔの差Ｔ−ｔは、３ｍｍ程度であることが好ましい。厚みの差Ｔ−ｔが例えば１〜２ｍｍ程度である場合には、筐体６部分が完全に見えなくなることにより操作盤１が壁面５から浮いて見え、裾付不良と判断される懸念があり、また、取り付け誤差などにより、挿入孔６ｃが嵌合壁７２と側壁部６２との境界部分に露出されない恐れもある。一方、厚みの差Ｔ−ｔを４ｍｍ以上にした場合には、操作盤１の意匠性を損なう懸念がある。したがって、操作盤１全体の厚みＴとカバー部ｔとの厚みの差Ｔ−ｔを例えば２ｍｍ＜Ｔ−ｔ＜４ｍｍとすることで、操作盤１全体の意匠性を保つと共に、側壁部６２と嵌合壁７２との境界部分における挿入孔６ｃの露出を確実にすることができる。
【００３１】
ところで、前述したように、筐体６には表示器３や押ボタン４等を収容する必要があり、内部構造の観点から、筐体６の厚み（すなわち、側壁部６２の高さ）を小さくすることによる操作盤１の薄型化には限界がある。図１１に、比較例における操作盤１００の側面図を示す。図１１に示す比較例では、カバー部の厚みｔが操作盤１００の厚みＴと同じである場合の構成図を示している。カバー部の厚みｔが操作盤１００の厚みＴと同じである場合、例えば、操作盤１００全体の厚みＴが例えば１５ｍｍである場合には、視覚的にも操作盤１００の厚みは１５ｍｍと認識される。
【００３２】
これに対し、本実施形態では、操作盤１全体の厚みＴを例えば１５ｍｍとしたとき、カバー部７の厚みｔを１２ｍｍとすることで、視覚的な操作盤１の厚みを１２ｍｍとすることができる為、使用者に操作盤１を実際の寸法よりも薄く見せることができる。
【００３３】
このように、本実施形態では、筐体６の取り付け面に垂直な方向におけるカバー部７の厚みｔを、筐体６の取り付け面に垂直な方向における操作盤１全体の厚みＴよりも小さくし、カバー部７の壁面５側の先端と筐体６との境界部分に段差を生じさせている。これにより、カバー部７が筐体６の取り付け板６１側まで被覆する構成（図１１）に比較して、操作盤１を視覚的に薄型に見せることができる。
【００３４】
さらに、本実施形態では、図４に示すように、ロック解除用の治具９を挿入する挿入孔６ｃが、筐体６側に設けられ、かつ、カバー部７の壁面５側の先端と筐体６との境界近傍に設けられる。そして、本実施形態では、カバー部７の壁面５側の先端と筐体６との境界部分に段差が生じているため、挿入孔６ｃはカバー部７の陰に隠れて外側から確認しにくくなる。したがって、本実施形態のエレベータ用の操作盤１によれば、いたずら防止の効果を向上させることができる。
【００３５】
また、本実施形態では、挿入孔６ｃを係合孔６ｂの一部で構成している。このため、挿入孔６ｃを係合孔６ｂと別途構成する場合に比較して、筐体６の構成を簡素にすることができる。
【００３６】
また、本実施形態のように、筐体６とカバー部７との間に段差があると、いたずら等の目的でカバー部７が引っ張られる可能性がある。特に、操作盤１が縦長の場合、引っ張られることによるカバー部７の撓みで、カバー部７が筐体６から外れる可能性がある。これに対し、本実施形態では、筐体６の溝部６ｄと、カバー部７の突起部７ｂとにより外れ防止機構が構成されることによって、カバー部７がいたずら等によって引っ張られた際に、カバー部７が外れてしまうのを防ぐことができる。
【００３７】
図８は、カバー部７の中央部が引っ張られたときの様子を示す概略断面図であり、図９は、図８の要部の断面拡大図である。また、図１０は、カバー部７の上部が引っ張られたときの様子を示す概略構成図である。
【００３８】
図８及び図１０に示すように、いたずら等により操作盤１のカバー部７が壁面５に対して垂直な方向に引っ張られた場合、引っ張られた方向にカバー部７が歪む。カバー部７が引っ張られることによるカバー部７の歪みが大きいと、外れ防止機構が設けられていない場合には、カバー部７の歪みによって、第１係合部１１及び第２係合部１２のどちらか一方、又は、両方の係合が外れ、カバー部７が筐体６から外れてしまう可能性がある。
【００３９】
これに対し、本実施形態では、筐体６に設けられた溝部６ｄに、カバー部７に設けられた突起部７ｂが挿入されているので、例えばカバー部７の中央部が引っ張られた場合には、図９において、一点鎖線で囲む領域に示すように、鉛直方向に並ぶ２つの外れ防止機構において、突起部７ｂが溝部６ｄに引っ掛かる。このため、カバー部７の歪みが抑制され、カバー部７が筐体６から外れるのを防ぐことができる。
【００４０】
これと同様に、図１０に示すようにカバー部７の上部が引っ張られた場合は、上方の外れ防止機構により、カバー部７の歪みを抑制することができるため、カバー部７が筐体６から外れるのを防ぐことができる。また、図示を省略するが、カバー部７の下部が引っ張られた場合には、下方の外れ防止機構と、第２係合部１２により、カバー部７の歪みを抑制することができるので、第１係合部１１又は／及び第２係合部１２が外れるのを防ぐことができる。このように、本実施形態では、撓みが発生し易いカバー部７の長辺方向において外れ防止機構が設けられることで、撓みの発生を抑制し、カバー部７が外れるのを防ぐことはできる。
【００４１】
ここで、外れ防止機構は、操作盤１の鉛直方向において例えば等間隔に設けることが好ましく、本実施形態では、操作盤１の両側面のそれぞれにおいて、操作盤１の鉛直方向における長さに対して３分の１程度の間隔で２つずつ設けることが好ましい。また、外れ防止機構の位置を、操作盤１の一般的な鉛直方向の長さから規定する場合、外れ防止機構は、例えば１５０ｍｍ〜２５０ｍｍの間隔で設けるのが好ましい。このような間隔で外れ防止機構を設けることにより、カバー部７のいずれの部分が引っ張られたとしても、カバー部７が筐体６から外れるのを防止することができる。
【００４２】
また、本実施形態では、カバー部７が壁面５と垂直な方向に引っ張られた場合について説明したが、カバー部７が壁面５と平行な方向に引っ張られた場合についても、外れ防止機構において突起部７ｂが溝部６ｄに引っ掛かる。これにより、カバー部７が筐体６から外れるのを防ぐことができる。
【００４３】
なお、本実施形態では、筐体６に溝部６ｄを設け、カバー部７に突起部７ｂを設けることで外れ防止機構を構成したが、カバー部７に溝部を設け、筐体６に突起部を設けることによって外れ防止機構を構成してもよい。
【００４４】
以上、本発明について、実施形態に基づいて説明したが、本発明は上述の実施形態に記載した構成に限定されるものではなく、その趣旨を逸脱しない範囲において適宜その構成を変更することができるものである。例えば、上述した実施形態例は、本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成について他の実施形態の構成を加えることも可能である。また、各実施形態の構成の一部について、他の構成の追加・削除・置換をすることが可能である。
【符号の説明】
【００４５】
１…操作盤、２…エレベータ扉、３…表示器、４…押ボタン、５…壁面、６…筐体、６ａ…凹部、６ｂ…開口部、６ｃ…挿入孔、６ｄ…溝部、７…カバー部、７ａ…凸部、７ｂ…突起部、８…板バネ、８ａ…固定部、８ｂ…ロック解除片、８ｃ…係合部、９…治具、１１…第１係合部、１２…第２係合部、６１…取り付け板、６２…側壁部、７１…表面板、７２…嵌合壁、１００…操作盤
【図１】
2016124684.tif 000003
【図２】
2016124684.tif 000004
【図３】
2016124684.tif 000005
【図４】
2016124684.tif 000006
【図５】
2016124684.tif 000007
【図６】
2016124684.tif 000008
【図７】
2016124684.tif 000009
【図８】
2016124684.tif 000010
【図９】
2016124684.tif 000011
【図１０】
2016124684.tif 000012
【図１１】
2016124684.tif 000013